(57)【要約】      （修正有）【課題】点字案内板の点字をなぞることと、同じように点字文をなぞり、読む点字文、聞く点字文となる点字文音声案内を求められている。点字文をなぞり、読む、聞くことで点字文情報を確実に伝える点字文発音案内プレートを提供する。【解決手段】公共施設・設備・装置で見られる点字文案内板の点字文ラベルから、点字文刻印プレート付タッチセンサー部と、点字文音声情報入力機能、点字文音声情報部、点字文音声情報を検索、伝送する機能を有する制御部と、点字文を発音する点字文発音部とで構成し、点字文をなぞることで、読む点字文と、聞く点字文となり、点字文の情報を確実に伝えられる点字文発音案内プレートである。【選択図】図１
2017138440.tif 000002
【特許請求の範囲】
【請求項１】
点字文を表示、検知する点字文・タッチセンサー部と、点字文音声情報入力機能、点字文音声情報部、点字文発声情報の検索、伝送機能を有する制御部と、点字文発声情報を発音する点字文発音部と、電源部とで構成する点字文発音案内プレート。
【請求項２】
前記点字文は、言葉の点字文と、物を表す文の点字文、および説明文の一行単位の点字文を、一単位の点字文とし、薄いプレートに刻印し、対応するタッチセンサー部に取付けることを特徴とする請求項１記載の点字文発音案内プレート。
【請求項３】
前記点字文・タッチセンサー部は、前記一単位の点字文を刻印した薄いプレートを金属膜電極に取付け、感圧導電性ゴムとで構成する検知部を有し、一行、若しくは複数行、または一列、若しくは複数列で構成し、一単位の点字文をなぞる指圧で検知し、点字文位置情報を制御部に伝送することを特徴とする請求項１記載の点字文発音案内プレート。
【請求項４】
前記制御部は、点字文音声情報入力機能、点字文音声情報部、点字文音声情報を入力、検索、伝送、制御する機能を有することを特徴とする請求項１記載の点字文発音案内プレート。
【請求項５】
前記点字文音声情報部は、表示の点字文と同じ言葉の点字文音声情報と、表示の点字文に言葉を付加し、新しい言葉に置換える点字文音声情報とから成ることを特徴とする請求項１記載の点字文発音案内プレート。
【請求項６】
前記点字文発音部は、前記制御部の基材上に配置し、制御部からの点字文音声情報をスピーカで発音することを特徴とする請求項１記載の点字文発音案内プレート。
【請求項７】
墨字案内文の下部に配置することを特徴とする請求項１記載の点字文発音案内プレート。
【発明の詳細な説明】
【技術分野】
【０００１】
本発明は、公共施設・設備・装置で見られる点字表示案内を、点字文表示と、点字文発音とで案内する点字文発音案内プレートに関するものである。
【背景技術】
【０００２】
公共施設・設備・装置で見られる点字表示案内には、点字をプリントした点字ラベルを点字案内板の墨字表示下に貼り付け、または直接機能部材に打刻し、情報表示している。
たとえば、階段の手すり部に、墨字と点字をプリントした点字ラベルを貼り付けている。
または、階段の手すり部の点字表示部に、点字ピンを打刻し、点字表示している。（特許文献１参照）。
【先行技術文献】
【特許文献】
【０００３】
【特許文献１】特許５０３６５１５号  公報
【発明の概要】
【発明が解決しようとする課題】
【０００４】
上述のように、公共施設・設備・装置で見られる点字表示の案内は、点字をなぞることで、点字情報を認識でき、情報を確実に伝えることである。
【０００５】
本発明は、上述の課題をを解決するもので、点字案内を、読む点字文、聞く点字文とすることを目的とする。
【課題を解決するための手段】
【０００６】
本発明は、上記目的を達成するために、点字文・タッチセンサー部と、制御部と、点字文発音部と、電源部とで構成する点字文発音案内プレートである。
【０００７】
点字文・タッチセンサー部の点字文は、言葉の点字文と、物を表す文の点字文、および説明文の一行単位の点字文を、一単位の点字文とし、一単位の点字文を薄いプレートに刻印し、対応するタッチセンサー金属膜電極に取付け、一行、若しくは複数行、または一列、若しくは複数列で構成するものである。
制御部は、点字文音声情報部、点字文音声情報入力機能、検索機能、伝送機能を有し、前述タッチセンサー部からの点字文位置情報で、点字文音声情報部を検索し、点字文音声情報を点字文発音部に伝送する。
前述点字文音声情報部は、表示の点字文と同じ言葉の点字文音声情報と、表示の点字文に言葉を付加し、新しい言葉に置換える点字文音声情報で構成するものである。
点字文発音部は、前述制御部の基材上に配置し、点字文音声情報を発音する。
【０００８】
点字文をなぞる指圧で、タッチセンサーが感知し、点字文位置情報を制御部に伝送し、点字文位置情報から点字文音声情報部を検索し、なぞった点字文の点字文音声情報を、制御部の基材に配置している点字文発音部に伝送し、点字文音声情報をスピーカで発音することである。
上述のように、読む点字文と、聞く点字文の点字文発音案内プレートは、点字情報を確実に伝えられる。
【発明の効果】
【０００９】
公共施設・設備・装置に設けられた点字案内板を、読む点字文と、聞く点字文とする点字文発音案内プレートにすることで、点字情報が確実に伝えられる。
また、音声で発信することで、点字の重要性や役割を再認識されるものである。
【００１０】
点字文に少し言葉を付加し、新しい言葉の点字文音声情報を発音することで、詳しい情報を伝えられる。
言葉を付加することで、詳しい点字文音声情報と成り、正しい判断ができる。
また、食堂のメニューに、主たる材料名を付加する点字文音声情報を発音するとイメージが浮かび上がる効果がある。
【図面の簡単な説明】
【００１１】
【図１】本発明の表示点字文、タッチセンサー部、制御部、点字文発音部から成る点字文発音案内プレートの概念図である。
【発明を実施するための形態】
【００１２】
以下、本発明の実施形態を図面に基づいて説明する。
図１には、本発明の一実施例である点字文発音案内プレートの構成を示している。
【００１３】
点字文発音案内プレート１は、点字文を薄いプレートに刻印した点字文プレート１１を、金属膜電極１２２の片側に取付け、感圧導電性ゴム１２１を挟む点字文・タッチセンサー部１２と、点字文音声情報入力機能、点字文音声情報部、点字文音声情報を入力、検索、伝送、制御する機能を有する制御部１３と、前述制御部１３の基材上に配置する点字文発音部のスピーカ１４とで構成するものである。
前述点字文プレート１１は、言葉の点字文と、物を表す文の点字文、および説明文の一行単位の点字文を、一単位の点字文とし、薄いプレートに刻印するものである。
前述点字文・タッチセンサー部１２は、一単位の点字文で、前述点字文プレート１１を取付けた金属膜電極１２２と、感圧導電性ゴム１２１とで構成し、一行、若しくは複数行、または一列、若しくは複数列で構成するものである。
【００１４】
点字文プレート１１をなぞると、指圧でタッチセンサー部金属膜電極１２２、感圧導電性ゴム１２１が感知し、点字文位置情報を制御部１３に伝送し、制御部１３は、点字文位置情報から点字文音声情報部を検索し、なぞった点字文の点字文音声情報を制御部１３の基材上に配置している点字文発音部に伝送し、点字文音声情報をスピーカ１４で発音するものである。
【００１５】
前記制御部１３の点字文音声情報部は、点字文プレートと同じ言葉の点字文音声情報と、点字文プレートの点字文に言葉を付加し、新しい言葉に置換える点字文音声情報とで構成するものである。
例えば、点字文「ザイライセン」に言葉を付加し、「在来線は、左側です」とする新しい言葉に置換える点字文音声情報とする。
【００１６】
図１の複数行点字文発音案内プレート２は、説明文の一行分の点字文を薄いプレートに刻印した点字文Ａプレート２１１、点字文Ｂプレート２１２を、金属膜電極Ａ２２３、金属膜電極Ｂ２２４に取付け、感圧導電性ゴム２２１、２２２を挟む点字文・タッチセンサー部２２Ａ、２２Ｂと、点字文音声情報入力機能、点字文音声情報部、点字文音声情報を入力、検索、伝送、制御する機能を有する制御部２３と、前述制御部２３の基材上に配置する点字文発音部のスピーカ２４とで構成するものである。
点字文Ａプレート２１１をなぞると、指圧で点字文・タッチセンサー部金属膜電極２２３、感圧導電性ゴム２２１が感知し、点字文位置情報を制御部２３に伝送し、制御部２３の点字文音声情報部を検索し、なぞった点字文の点字文音声情報を制御部２３の基材上に配置している点字文発音部に伝送し、点字文音声情報をスピーカ２４で発音する。
引き続き、点字文Ｂプレート２１２をなぞり、上述の処理方法で、点字文Ｂプレートの点字音声情報をスピーカ２４で発音する。
前述点字文Ａプレート２１１、点字文Ｂプレート２１２は、２つ行であるが、多数行の場合には、各行の点字文単位の点字文・タッチセンサー部とし、なぞった点字文プレートの点字文位置情報から制御部２３の点字音声情報部を検索し、なぞった点字文プレートの点字文音声情報を、点字文発音部に伝送し、点字文音声情報をスピーカ２４で続けて発音する。
前述制御部２３の点字文音声情報部は、点字文プレートと同じ言葉の点字文音声情報と、点字文プレートの点字文に言葉を付加し、新しい言葉の点字文音声情報とで構成するものである。
上述点字文発音案内プレートは、点字文をなぞることで、読む点字文、聞く点字文になり、点字文情報を確実に伝えられる。
【００１７】
上述のように機能する構成部をパッケージする点字文発音案内プレートは、墨字案内文の下部に配置するものとする。
【符号の説明】
【００１８】
１    点字文発音案内プレート１
１１    点字文プレート
１２    点字文・タッチセンサー部
１２１    感圧導電性ゴム
１２２    金属膜電極
１３    制御部
１４    スピーカ
２    複数行点字文発音案内プレート２
２１１    点字文Ａプレート
２１２    点字文Ｂプレート
２２Ａ    点字文・タッチセンサー部
２２Ｂ    点字文・タッチセンサー部
２２１    感圧導電性ゴム
２２２    感圧導電性ゴム
２２３    金属膜電極Ａ
２２４    金属膜電極Ｂ
２３    制御部
２４    スピーカ
【図１】
2017138440.tif 000003